(57)【要約】【課題】重量、製造コストが低減できる圧力計を実現する。【解決手段】本体カプセルにフランジが取付けられる圧力計において、本体カプセルに設けられた高圧側フランジ取付用の雌ねじと、この雌ねじにねじ合わされて高圧側フランジを前記本体カプセルに取付けるボルトとを具備したことを特徴とする圧力計である。【選択図】図１
2009019988.tif 000002
【特許請求の範囲】
【請求項１】
本体カプセルにフランジが取付けられる圧力計において、
本体カプセルに設けられた高圧側フランジ取付用の雌ねじと、
この雌ねじにねじ合わされて高圧側フランジを前記本体カプセルに取付けるボルトと
を具備したことを特徴とする圧力計。
【請求項２】
前記本体カプセルの低圧側フランジ取付面に設けられ前記本体カプセルの低圧側ダイアフラムを保護する保護カバーと、
この保護カバーに設けられた大気開放穴と
を具備したことを特徴とする請求項１記載の圧力計。
【請求項３】
前記大気開放穴は、前記本体カプセルと前記保護カバーとの間に溜まった水分を排水する排水穴でもあること
を特徴とする請求項２記載の圧力計。
【請求項４】
前記本体カプセルに設けられ前記本体カプセル内の圧力センサの低圧側に一端が連通し他端が大気開放される大気開放通路
を具備したことを特徴とする請求項１乃至請求項３の何れかに記載の圧力計。
【発明の詳細な説明】
【技術分野】
【０００１】
本発明は、高圧側、低圧側の受圧面を有するフランジ締付タイプ圧力計の構造に関するものである。
更に詳述すれば、本発明は、重量、製造コストが低減できる圧力計に関するものである。
【背景技術】
【０００２】
圧力計に関連する先行技術文献としては次のようなものがある。
【０００３】
【特許文献１】特開２００５−１４８０２３号公報
【特許文献２】特開２００５−１１４４５３号公報
【０００４】
図４は従来より一般に使用されている従来例の要部構成説明図で、（ａ）は正面図、（ｂ）は側面図である。
図４において、圧力計の受圧部のフランジ締付構造は、円筒形状の受圧部を有する本体カプセル１を２枚の高圧側フランジ，低圧側フランジ２，３で挟み込み、４本のボルト４で締付けて、組立を行っている。
【発明の開示】
【発明が解決しようとする課題】
【０００５】
このような装置においては、以下の間題点がある。
圧力計の低圧側は、大気圧を検知するためのものであり、測定圧力の入力は行わない。  従って低圧側フランジ３の主目的としては、本体カプセル１のダイアフラムを保護すること、高圧側フランジ２との組み合わせによりボルト４で本体カプセル１をはさみこむことで高圧側の耐圧を実現することである。
【０００６】
高圧側のフランジ２と同様のフランジを必要としない。
また、フランジ２，３を２枚有することは重量／コストの面から不利であり、資源環境の面からも好ましくない。
【０００７】
本発明の目的は、上記の課題を解決するもので、高圧側のフランジ１枚のみを使用し、従来例と同機能を有し、且つ、重量、製造コストが低減できる圧力計を提供することにある。
【課題を解決するための手段】
【０００８】
このような課題を達成するために、本発明では、請求項１の圧力計においては、
本体カプセルにフランジが取付けられる圧力計において、本体カプセルに設けられた高圧側フランジ取付用の雌ねじと、この雌ねじにねじ合わされて高圧側フランジを前記本体カプセルに取付けるボルトとを具備したことを特徴とする。
【０００９】
本発明の請求項２の圧力計においては、請求項１記載の圧力計において、
前記本体カプセルの低圧側フランジ取付面に設けられ前記本体カプセルの低圧側ダイアフラムを保護する保護カバーと、この保護カバーに設けられた大気開放穴とを具備したことを特徴とする。
【００１０】
本発明の請求項３の圧力計においては、請求項２記載の圧力計において、
前記大気開放穴は、前記本体カプセルと前記保護カバーとの間に溜まった水分を排水する排水穴でもあることを特徴とする。
【００１１】
本発明の請求項４の圧力計においては、請求項１乃至請求項３の何れかに記載の圧力計において、
前記本体カプセルに設けられ前記本体カプセル内の圧力センサの低圧側に一端が連通し他端が大気開放される大気開放通路を具備したことを特徴とする。
【発明の効果】
【００１２】
本発明の請求項１によれば、次のような効果がある。
フランジは高圧側フランジの１枚のみで良く、従来例と同機能を有し、且つ、重量、製造コストが低減できる圧力計が得られる。
本体カプセルの受圧部を大きくできるので、カプセル受圧部の剛性が増し、フランジ締め付け時の内部歪が低減され、特性の向上が期待できる圧力計が得られる。
【００１３】
本発明の請求項２によれば、次のような効果がある。
本体カプセルの低圧側フランジ取付面に設けられ本体カプセルの低圧側ダイアフラムを保護する保護カバーと、保護カバーに設けられた大気開放穴とが設けられたので、低圧側ダイアフラムが保護できる圧力計が得られる。
【００１４】
本発明の請求項３によれば、次のような効果がある。
大気開放穴は、本体カプセルと保護カバーとの間に溜まった水分を排水する排水穴でもあるので、溜まった水分を確実に排水できる圧力計が得られる。
【００１５】
本発明の請求項４によれば、次のような効果がある。
本体カプセルに設けられ、本体カプセル内の圧力センサの低圧側に一端が連通し他端が大気開放される大気開放通路が設けられたので、構成が簡単に出来、低圧側ダイアフラムを省略できる圧力計が得られる。
【発明を実施するための最良の形態】
【００１６】
以下本発明を図面を用いて詳細に説明する。
図１は本発明の一実施例の要部構成説明図で、（ａ）は正面図、（ｂ）は側面図である。
図において、図４と同一記号の構成は同一機能を表す。
以下、図４との相違部分のみ説明する。
【００１７】
図１において、高圧側フランジ取付用の雌ねじ１２は、本体カプセル１１に設けられている。
ボルト１３は、雌ねじ１２にねじ合わされて、高圧側フランジ２を本体カプセル１１に取付ける。
【００１８】
保護カバー１４は、本体カプセル１１の低圧側フランジ取付面に設けられ、本体カプセル１１の低圧側ダイアフラム１５を保護する。
大気開放穴１６は、保護カバー１４に設けられている。
【００１９】
以上の構成において、本体カプセル１１の受圧面外側に高圧側フランジ取付用のめねじ１２を設ける。
ボルト１３は、雌ねじ１２にねじ合わされて、高圧側フランジ２を本体カプセル１１に取付ける。
【００２０】
高圧側フランジ２の耐圧は、本体カプセル１１に設けられためねじ１２とボルト１３を使用して高圧側フランジ２を本体カプセル１１に締付けることで実現する。
また、本体カプセル１１の低圧側は、必要に応じてダイアフラム保護用の部品としての保護カバー１４を取り付け、水の浸入や物理的接触から守る。
【００２１】
この結果、
フランジは高圧側フランジ２の１枚のみで良く、従来例と同機能を有し、且つ、重量、製造コストが低減できる圧力計が得られる。
【００２２】
従来は、４本のボルト４で、本体カプセル１の両側面にフランジ２，３を取付けるために、本体カプセル１の受圧部を大きく出来なかったが、その制限が無くなり、本体カプセル１１の受圧部を大きくできるので、カプセル受圧部の剛性が増し、フランジ締め付け時の内部歪が低減され、特性の向上が期待できる圧力計が得られる。
【００２３】
本体カプセル１１の低圧側フランジ取付面に設けられ本体カプセル１１の低圧側ダイアフラム１５を保護する保護カバー１４と、保護カバー１４に設けられた大気開放穴１６とが設けられたので、低圧側ダイアフラム１５が保護できる圧力計が得られる。
【００２４】
図２は、本発明の他の実施例の要部構成説明図である。
図２において、大気開放穴２１は、本体カプセル１１と保護カバー２２との間に溜まった水分を排水する排水穴でもある。
この場合は、保護カバー２２は低圧側ダイアフラム１５の径より一回り大きなものとし、低圧側ダイアフラム１５の外側位置に大気開放用の穴２１を９０°毎に複数箇所設ける。この場合は４個である。
【００２５】
この結果、
大気開放穴２１は、本体カプセル１１と保護カバー２２との間に溜まった水分を排水する排水穴でもあるので、溜まった水分を確実に排水できる圧力計が得られる。
また、この場合は、大気開放用の穴２１を９０°毎に４箇所設けたので、これにより圧力計の設置姿勢に関わらず内部に侵入した水分等を排水することが可能となる。
【００２６】
図３は、本発明の他の実施例の要部構成説明図である。
図３において、大気開放通路３１は、本体カプセル１１に設けられ、本体カプセル１１内の圧力センサ３２の低圧側に一端が連通し、他端が大気開放されている。
【００２７】
この場合は、大気開放通路３１の大気開放端には、水分の浸入を防ぐための保護パーツ３３が設けられている。
４１は高圧側ダイアフラム、４２は圧力センサ３２の高圧側と高圧側ダイアフラム４１とを連通する高圧側通路である。
【００２８】
本体カプセル１１に設けられ、本体カプセル１１内の圧力センサ３２の低圧側に一端が連通し他端が大気開放される大気開放通路３１が設けられたので、構成が簡単に出来、低圧側ダイアフラムを省略できる圧力計が得られる。
【００２９】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【図面の簡単な説明】
【００３０】
【図１】本発明の一実施例の要部構成説明図である。
【図２】本発明の他の実施例の要部構成説明図である。
【図３】本発明の他の実施例の要部構成説明図である。
【図４】従来より一般に使用されている従来例の構成説明図である。
【符号の説明】
【００３１】
１      本体カプセル
２      高圧側フランジ
３      低圧側フランジ
４      ボルト
１１    本体カプセル
１２    雌ねじ
１３    ボルト
１４    保護カバー
１５    低圧側ダイアフラム
１６    大気開放穴
２１    大気開放穴
２２    保護カバー
３１    大気開放通路
３２    圧力センサ
３３    保護パーツ
４１    高圧側ダイアフラム
４２    高圧側通路
【図１】
2009019988.tif 000003
【図２】
2009019988.tif 000004
【図３】
2009019988.tif 000005
【図４】
2009019988.tif 000006